(57)【特許請求の範囲】
【請求項１】
制御チャネルおよび一または複数の通信チャネルを介して通信相手装置との間で通信を行う移動通信端末装置において、
送信信号に基づいて、前記制御チャネルおよび前記通信チャネルのうち、前記通信相手装置が送信に用いているチャネルである送信使用チャネルを検出する送信使用チャネル検出手段と、
前記送信使用チャネルのうち、少なくとも二つの送信使用チャネルの受信信号電力／干渉信号電力比を算出する受信信号電力／干渉信号電力比算出手段と、
算出した全ての受信信号電力／干渉信号電力比を合成して合成受信信号電力／干渉信号電力比を算出する合成受信信号電力／干渉信号電力比算出手段と、
前記合成受信信号電力／干渉信号電力比および予め定めた目標合成受信信号電力／干渉信号電力比に基づいて送信電力制御を行う送信電力制御手段と、
を備えたことを特徴とする移動通信端末装置。
【請求項２】
請求項１記載の移動通信端末装置において、
前記送信使用チャネル検出手段は、前記送信信号に含まれる送信状態識別子を抽出する識別子抽出手段と、
抽出された前記送信状態識別子に基づいて、前記送信使用チャネルを判別する使用チャネル判別手段と、
を備えたことを特徴とする移動通信端末装置。
【請求項３】
制御チャネルおよび一または複数の通信チャネルを介して通信相手装置との間で通信を行う移動通信端末装置において、
前記各チャネルの受信信号電力／干渉信号電力比を算出する受信信号電力／干渉信号電力比算出手段と、
前記算出した各チャネルの受信信号電力／干渉信号電力比に基づいて、前記制御チャネルおよび前記通信チャネルのうち、前記通信相手装置が送信に用いているチャネルである送信使用チャネルを検出する送信使用チャネル検出手段と、
前記送信使用チャネルのうち、少なくとも二つの送信使用チャネルに対応する受信信号電力／干渉信号電力比を合成して合成受信信号電力／干渉信号電力比を算出する合成受信信号電力／干渉信号電力比算出手段と、
前記合成受信信号電力／干渉信号電力比および予め定めた目標合成受信信号電力／干渉信号電力比に基づいて送信電力制御を行う送信電力制御手段と、
を備えたことを特徴とする移動通信端末装置。
【請求項４】
請求項３記載の移動通信端末装置において、
前記送信使用チャネル検出手段は、前記制御チャネルの受信信号電力を各前記通信チャネルの受信信号電力と比較した比較結果に基づいて前記送信使用チャネルを判別する使用チャネル判別手段を備えたことを特徴とする移動通信端末装置。
【請求項５】
請求項３記載の移動通信端末装置において、
前記受信信号電力／干渉信号電力比算出手段は、前記各チャネルの受信信号電力を検出する受信信号電力検出手段を有し、
前記送信使用チャネル検出手段は、前記各チャネル毎に予め定めた基準受信信号電力を記憶する基準受信信号電力記憶手段と、
検出した前記各チャネル毎の受信信号電力を当該チャネルに対応する前記基準受信信号電力記憶手段に記憶された基準受信信号電力と比較した比較結果に基づいて前記送信使用チャネルを判別する使用チャネル判別手段を備えたことを特徴とする移動通信端末装置。
【請求項６】
請求項１ないし請求項５のいずれかに記載の移動通信端末装置において、
前記送信電力制御手段は、前記合成受信信号電力／干渉信号電力比が前記目標合成受信信号電力／干渉信号電力比よりも小さい場合には、前記送信電力制御において、送信電力を増加させるべく制御を行い、前記合成受信信号電力／干渉信号電力比が前記目標合成受信信号電力／干渉信号電力比よりも大きい場合には、前記送信電力制御において、送信電力を減少させるべく制御を行うことを特徴とする移動通信端末装置。
【請求項７】
制御チャネルおよび一または複数の通信チャネルを介して通信相手装置との間で通信を行う移動通信端末装置の制御方法において、
送信信号に基づいて、前記制御チャネルおよび前記通信チャネルのうち、前記通信相手装置が送信に用いているチャネルである送信使用チャネルを検出する送信使用チャネル検出工程と、
前記送信使用チャネルのうち、少なくとも二つの送信使用チャネルの受信信号電力／干渉信号電力比を算出する受信信号電力／干渉信号電力比算出工程と、
算出した全ての受信信号電力／干渉信号電力比を合成して合成受信信号電力／干渉信号電力比を算出する合成受信信号電力／干渉信号電力比算出工程と、
前記合成受信信号電力／干渉信号電力比および予め定めた目標合成受信信号電力／干渉信号電力比に基づいて送信電力制御を行う送信電力制御工程と、
を備えたことを特徴とする移動通信端末装置の制御方法。
【請求項８】
請求項７記載の移動通信端末装置の制御方法において、
前記送信使用チャネル検出工程は、前記送信信号に含まれる送信状態識別子を抽出する識別子抽出工程と、
抽出された前記送信状態識別子に基づいて、前記送信使用チャネルを判別する使用チャネル判別工程と、
を備えたことを特徴とする移動通信端末装置の制御方法。
【請求項９】
制御チャネルおよび一または複数の通信チャネルを介して通信相手装置との間で通信を行う移動通信端末装置の制御方法において、
前記各チャネルの受信信号電力／干渉信号電力比を算出する受信信号電力／干渉信号電力比算出工程と、
前記算出した各チャネルの受信信号電力／干渉信号電力比に基づいて、前記制御チャネルおよび前記通信チャネルのうち、前記通信相手装置が送信に用いているチャネルである送信使用チャネルを検出する送信使用チャネル検出工程と、
前記送信使用チャネルのうち、少なくとも二つの送信使用チャネルに対応する受信信号電力／干渉信号電力比を合成して合成受信信号電力／干渉信号電力比を算出する合成受信信号電力／干渉信号電力比算出工程と、
前記合成受信信号電力／干渉信号電力比および予め定めた目標合成受信信号電力／干渉信号電力比に基づいて送信電力制御を行う送信電力制御工程と、
を備えたことを特徴とする移動通信端末装置の制御方法。
【請求項１０】
請求項９記載の移動通信端末装置の制御方法において、
前記送信使用チャネル検出工程は、前記制御チャネルの受信信号電力を各前記通信チャネルの受信信号電力と比較した比較結果に基づいて前記送信使用チャネルを判別する使用チャネル判別工程を備えたことを特徴とする移動通信端末装置の制御方法。
【請求項１１】
請求項９記載の移動通信端末装置の制御方法において、
前記受信信号電力／干渉信号電力比算出工程は、前記各チャネルの受信信号電力を検出する受信信号電力検出工程を有し、
前記送信使用チャネル検出工程は、検出した前記各チャネル毎の受信信号電力を当該チャネルに対応する予め定めた基準受信信号電力と比較した比較結果に基づいて前記送信使用チャネルを判別する使用チャネル判別工程を備えた、
ことを特徴とする移動通信端末装置の制御方法。
【請求項１２】
請求項７ないし請求項１１のいずれかに記載の移動通信端末装置の制御方法において、
前記送信電力制御工程は、前記合成受信信号電力／干渉信号電力比が前記目標合成受信信号電力／干渉信号電力比よりも小さい場合に、送信電力を増加させるべく制御を行う送信電力増加制御工程と、
前記合成受信信号電力／干渉信号電力比が前記目標合成受信信号電力／干渉信号電力比よりも大きい場合に、送信電力を減少させるべく制御を行う送信電力減少制御工程と、
を備えたことを特徴とする移動通信端末装置の制御方法。
【発明の詳細な説明】
【０００１】
【発明の属する技術分野】
本発明は、ディジタル無線通信、特にＣＤＭＡ（符号分割多元接続）方式を適用する移動通信において、ＤＴＸを行う通信形態において用いられる移動通信端末装置に関し、より詳細には、送信電力制御技術に関するものである。
【従来の技術】
図６は、ＣＤＭＡ方式のチャネル配置の一例を示したものである。図１において、符号１に制御チャネル及び通信チャネルが多重されているが、符号１に通信チャネルが無く、制御チャネル、制御チャネルのみマッピングされている場合もあり得る。
ＣＤＭＡ方式を適用し、ＤＴＸ（間欠送信）を行う移動通信システムで、送信電力制御を行う場合、受信側にて実施されるＳＩＲ測定は、常時送信されている制御チャネル（図６における網掛け部分）または制御チャネル上に配置されるパイロットシンボルのみを測定対象として用いていた。例えば、文献（ＡＲＩＢ／Ｊａｐａｎ，”Ｊａｐａｎ’ｓ  Ｐｒｏｐｏｓａｌ  ｆｏｒ  Ｃａｎｄｉｄａｔｅ  Ｒａｄｉｏ  Ｔｒａｎｓｍｉｓｓｉｏｎ  Ｔｅｃｈｎｏｌｏｇｙ  ｏｎ  ＩＭＴ−２０００：Ｗ−ＣＤＭＡ，”ＩＭＴ−２０００  Ｒａｄｉｏ  Ｔｒａｎｓｍｉｓｓｉｏｎ  Ｔｅｃｈｎｏｌｏｇｙ  Ｐｒｏｐｏｓａｌｓ（１），ｐｐ．１３０−１３１，Ｊｕｎ．１９９８）には、制御チャネル上のパイロットシンボルを用いた送信電力制御方法が示されている。
【０００２】
【発明が解決しようとする課題】
送信電力制御を行う場合、受信側にて実施されるＳＩＲ測定において、測定に用いる信号電力が大きいほど、ＳＩＲ測定の精度は向上する。
従って、測定精度を上げるためには、より大きい信号電力をＳＩＲ測定に用いる必要がある。
より大きい信号電力を測定に用いる方法として、測定時間をより長くすることが考えられるが、移動通信環境でレイリーフェージングに追従できるような高速な送信電力制御を行うためには、短時間でＳＩＲ測定を行う必要がある。
従来の制御チャネルのみの測定では、短時間で測定に十分な信号電力が得られないために高精度な受信ＳＩＲ測定ができない場合がある。このような測定のばらつきが存在すると、送信電力が適切に制御されないため、通信品質劣化や送信電力の増大を招き、容量の減少の原因となっていた。
そこで本発明は、受信側で通信チャネルの送信オン／オフ状態を判定し、送信オンの状態にあるチャネルを全部または複数用いることにより測定に用いる信号電力をより大きくして、短時間で高精度な受信ＳＩＲを行い、送信電力制御の精度を高め、通信の高品質化や送信電力の低減、容量の増大を実現することを目的とする。
【０００３】
【課題を解決するための手段】
上記課題を解決するため、請求項１記載の構成は、制御チャネルおよび一または複数の通信チャネルを介して通信相手装置との間で通信を行う移動通信端末装置において、送信信号に基づいて、前記制御チャネルおよび前記通信チャネルのうち、前記通信相手装置が送信に用いているチャネルである送信使用チャネルを検出する送信使用チャネル検出手段と、前記送信使用チャネルのうち、少なくとも二つの送信使用チャネルの受信信号電力／干渉信号電力比を算出する受信信号電力／干渉信号電力比算出手段と、算出した全ての受信信号電力／干渉信号電力比を合成して合成受信信号電力／干渉信号電力比を算出する合成受信信号電力／干渉信号電力比算出手段と、前記合成受信信号電力／干渉信号電力比および予め定めた目標合成受信信号電力／干渉信号電力比に基づいて送信電力制御を行う送信電力制御手段と、を備えたことを特徴としている。
請求項１記載の構成によれば、送信使用チャネル検出手段は、送信信号に基づいて、制御チャネルおよび通信チャネルのうち、通信相手装置が送信に用いているチャネルである送信使用チャネルを検出する。
受信信号電力／干渉信号電力比算出手段は、送信使用チャネルのうち、少なくとも二つの送信使用チャネルの受信信号電力／干渉信号電力比を算出する。
合成受信信号電力／干渉信号電力比算出手段は、算出した全ての受信信号電力／干渉信号電力比を合成して合成受信信号電力／干渉信号電力比を算出する。
これらにより、送信電力制御手段は、合成受信信号電力／干渉信号電力比および予め定めた目標合成受信信号電力／干渉信号電力比に基づいて送信電力制御を行う。
【０００４】
請求項２記載の構成は、請求項１記載の構成において、前記送信使用チャネル検出手段は、前記送信信号に含まれる送信状態識別子を抽出する識別子抽出手段と、抽出された前記送信状態識別子に基づいて、前記送信使用チャネルを判別する使用チャネル判別手段と、を備えたことを特徴としている。
請求項２記載の構成によれば、請求項１記載の構成の作用に加えて、送信使用チャネル検出手段の識別子抽出手段は、送信信号に含まれる送信状態識別子を抽出する。
使用チャネル判別手段は、抽出された送信状態識別子に基づいて、送信使用チャネルを判別する。
【０００５】
請求項３記載の構成は、制御チャネルおよび一または複数の通信チャネルを介して通信相手装置との間で通信を行う移動通信端末装置において、前記各チャネルの受信信号電力／干渉信号電力比を算出する受信信号電力／干渉信号電力比算出手段と、前記算出した各チャネルの受信信号電力／干渉信号電力比に基づいて、前記制御チャネルおよび前記通信チャネルのうち、前記通信相手装置が送信に用いているチャネルである送信使用チャネルを検出する送信使用チャネル検出手段と、前記送信使用チャネルのうち、少なくとも二つの送信使用チャネルに対応する受信信号電力／干渉信号電力比を合成して合成受信信号電力／干渉信号電力比を算出する合成受信信号電力／干渉信号電力比算出手段と、前記合成受信信号電力／干渉信号電力比および予め定めた目標合成受信信号電力／干渉信号電力比に基づいて送信電力制御を行う送信電力制御手段と、を備えたことを特徴としている。
請求項３記載の構成によれば、受信信号電力／干渉信号電力比算出手段は、各チャネルの受信信号電力／干渉信号電力比を算出する。
送信使用チャネル検出手段は、算出した各チャネルの受信信号電力／干渉信号電力比に基づいて、制御チャネルおよび通信チャネルのうち、通信相手装置が送信に用いているチャネルである送信使用チャネルを検出する。
合成受信信号電力／干渉信号電力比算出手段は、送信使用チャネルのうち、少なくとも二つの送信使用チャネルに対応する受信信号電力／干渉信号電力比を合成して合成受信信号電力／干渉信号電力比を算出する。
これらにより、送信電力制御手段は、合成受信信号電力／干渉信号電力比および予め定めた目標合成受信信号電力／干渉信号電力比に基づいて送信電力制御を行う。
【０００６】
請求項４記載の構成は、請求項３記載の構成において、前記送信使用チャネル検出手段は、前記制御チャネルの受信信号電力を各前記通信チャネルの受信信号電力と比較した比較結果に基づいて前記送信使用チャネルを判別する使用チャネル判別手段を備えたことを特徴としている。
請求項４記載の構成によれば、請求項３記載の構成の作用に加えて、送信使用チャネル検出手段の使用チャネル判別手段は、制御チャネルの受信信号電力を各通信チャネルの受信信号電力と比較した比較結果に基づいて送信使用チャネルを判別する。
【０００７】
請求項５記載の構成は、請求項３記載の構成において、前記受信信号電力／干渉信号電力比算出手段は、前記各チャネルの受信信号電力を検出する受信信号電力検出手段を有し、前記送信使用チャネル検出手段は、前記各チャネル毎に予め定めた基準受信信号電力を記憶する基準受信信号電力記憶手段と、検出した前記各チャネル毎の受信信号電力を当該チャネルに対応する前記基準受信信号電力記憶手段に記憶された基準受信信号電力と比較した比較結果に基づいて前記送信使用チャネルを判別する使用チャネル判別手段を備えたことを特徴としている。
請求項５記載の構成によれば、請求項３記載の構成の作用に加えて、受信信号電力／干渉信号電力比算出手段の受信信号電力検出手段は、各チャネルの受信信号電力を検出する。
これにより、送信使用チャネル検出手段の使用チャネル判別手段は、検出した各チャネル毎の受信信号電力を当該チャネルに対応する基準受信信号電力記憶手段に記憶された基準受信信号電力と比較した比較結果に基づいて送信使用チャネルを判別する。
【０００８】
請求項６記載の構成は、請求項１ないし請求項５のいずれかに記載の構成において、前記送信電力制御手段は、前記合成受信信号電力／干渉信号電力比が前記目標合成受信信号電力／干渉信号電力比よりも小さい場合には、前記送信電力制御において、送信電力を増加させるべく制御を行い、前記合成受信信号電力／干渉信号電力比が前記目標合成受信信号電力／干渉信号電力比よりも大きい場合には、前記送信電力制御において、送信電力を減少させるべく制御を行うことを特徴としている。
請求項６記載の構成によれば、請求項１ないし請求項５のいずれかに記載の構成の作用に加えて、送信電力制御手段は、合成受信信号電力／干渉信号電力比が目標合成受信信号電力／干渉信号電力比よりも小さい場合には送信電力を増加させるべく制御を行い、合成受信信号電力／干渉信号電力比が目標合成受信信号電力／干渉信号電力比よりも大きい場合には、送信電力を減少させるべく制御を行う。
【０００９】
請求項７記載の構成は、制御チャネルおよび一または複数の通信チャネルを介して通信相手装置との間で通信を行う移動通信端末装置の制御方法において、送信信号に基づいて、前記制御チャネルおよび前記通信チャネルのうち、前記通信相手装置が送信に用いているチャネルである送信使用チャネルを検出する送信使用チャネル検出工程と、前記送信使用チャネルのうち、少なくとも二つの送信使用チャネルの受信信号電力／干渉信号電力比を算出する受信信号電力／干渉信号電力比算出工程と、算出した全ての受信信号電力／干渉信号電力比を合成して合成受信信号電力／干渉信号電力比を算出する合成受信信号電力／干渉信号電力比算出工程と、前記合成受信信号電力／干渉信号電力比および予め定めた目標合成受信信号電力／干渉信号電力比に基づいて送信電力制御を行う送信電力制御工程と、を備えたことを特徴としている。
請求項７記載の構成によれば、制御チャネルおよび一または複数の通信チャネルを介して通信相手装置との間で通信を行う構成の作用に加えて、送信使用チャネル検出工程は、送信信号に基づいて、制御チャネルおよび通信チャネルのうち、通信相手装置が送信に用いているチャネルである送信使用チャネルを検出する。
受信信号電力／干渉信号電力比算出工程は、送信使用チャネルのうち、少なくとも二つの送信使用チャネルの受信信号電力／干渉信号電力比を算出する。
合成受信信号電力／干渉信号電力比算出工程は、算出した全ての受信信号電力／干渉信号電力比を合成して合成受信信号電力／干渉信号電力比を算出する。
これらにより送信電力制御工程は、合成受信信号電力／干渉信号電力比および予め定めた目標合成受信信号電力／干渉信号電力比に基づいて送信電力制御を行う。
【００１０】
請求項８記載の構成は、請求項７記載の構成において、前記送信使用チャネル検出工程は、前記送信信号に含まれる送信状態識別子を抽出する識別子抽出工程と、抽出された前記送信状態識別子に基づいて、前記送信使用チャネルを判別する使用チャネル判別工程と、を備えたことを特徴としている。
請求項８記載の構成によれば、請求項７記載の構成の作用に加えて、送信使用チャネル検出工程の識別子抽出工程は、送信信号に含まれる送信状態識別子を抽出する。
使用チャネル判別工程は、抽出された送信状態識別子に基づいて、送信使用チャネルを判別する。
【００１１】
請求項９記載の構成は、制御チャネルおよび一または複数の通信チャネルを介して通信相手装置との間で通信を行う移動通信端末装置の制御方法において、前記各チャネルの受信信号電力／干渉信号電力比を算出する受信信号電力／干渉信号電力比算出工程と、前記算出した各チャネルの受信信号電力／干渉信号電力比に基づいて、前記制御チャネルおよび前記通信チャネルのうち、前記通信相手装置が送信に用いているチャネルである送信使用チャネルを検出する送信使用チャネル検出工程と、前記送信使用チャネルのうち、少なくとも二つの送信使用チャネルに対応する受信信号電力／干渉信号電力比を合成して合成受信信号電力／干渉信号電力比を算出する合成受信信号電力／干渉信号電力比算出工程と、前記合成受信信号電力／干渉信号電力比および予め定めた目標合成受信信号電力／干渉信号電力比に基づいて送信電力制御を行う送信電力制御工程と、を備えたことを特徴としている。
請求項９記載の構成によれば、制御チャネルおよび一または複数の通信チャネルを介して通信相手装置との間で通信を行う構成の作用に加えて、受信信号電力／干渉信号電力比算出工程は、各チャネルの受信信号電力／干渉信号電力比を算出する。
送信使用チャネル検出工程は、算出した各チャネルの受信信号電力／干渉信号電力比に基づいて、制御チャネルおよび通信チャネルのうち、通信相手装置が送信に用いているチャネルである送信使用チャネルを検出する。
合成受信信号電力／干渉信号電力比算出工程は、送信使用チャネルのうち、少なくとも二つの送信使用チャネルに対応する受信信号電力／干渉信号電力比を合成して合成受信信号電力／干渉信号電力比を算出する。
これらにより、送信電力制御工程は、合成受信信号電力／干渉信号電力比および予め定めた目標合成受信信号電力／干渉信号電力比に基づいて送信電力制御を行う。
【００１２】
請求項１０記載の構成は、請求項９記載の構成において、前記送信使用チャネル検出工程は、前記制御チャネルの受信信号電力を各前記通信チャネルの受信信号電力と比較した比較結果に基づいて前記送信使用チャネルを判別する使用チャネル判別工程を備えたことを特徴としている。
請求項１０記載の構成によれば、請求項９記載の構成の作用に加えて、送信使用チャネル検出工程の使用チャネル判別工程は、制御チャネルの受信信号電力を各通信チャネルの受信信号電力と比較した比較結果に基づいて送信使用チャネルを判別する。
【００１３】
請求項１１記載の構成は、請求項９記載の構成において、前記受信信号電力／干渉信号電力比算出工程は、前記各チャネルの受信信号電力を検出する受信信号電力検出工程を有し、前記送信使用チャネル検出工程は、検出した前記各チャネル毎の受信信号電力を当該チャネルに対応する予め定めた基準受信信号電力と比較した比較結果に基づいて前記送信使用チャネルを判別する使用チャネル判別工程を備えたことを特徴としている。
請求項１１記載の構成によれば、請求項９記載の構成の作用に加えて、受信信号電力／干渉信号電力比算出工程の受信信号電力検出工程は、各チャネルの受信信号電力を検出する。
これにより、送信使用チャネル検出工程は、検出した各チャネル毎の受信信号電力を各チャネル毎に予め記憶した基準受信信号電力と比較した比較結果に基づいて送信使用チャネルを判別する。
【００１４】
請求項１２記載の構成は、請求項７ないし請求項１１のいずれかに記載の構成において、前記送信電力制御工程は、前記合成受信信号電力／干渉信号電力比が前記目標合成受信信号電力／干渉信号電力比よりも小さい場合に、送信電力を増加させるべく制御を行う送信電力増加制御工程と、前記合成受信信号電力／干渉信号電力比が前記目標合成受信信号電力／干渉信号電力比よりも大きい場合に、送信電力を減少させるべく制御を行う送信電力減少制御工程と、を備えたことを特徴としている。
請求項１２記載の構成によれば、請求項７ないし請求項１１のいずれかに記載の構成の作用に加えて、送信電力制御工程の送信電力増加制御工程は、合成受信信号電力／干渉信号電力比が目標合成受信信号電力／干渉信号電力比よりも小さい場合に、送信電力を増加させるべく制御を行う。
また、送信電力減少制御工程は、合成受信信号電力／干渉信号電力比が目標合成受信信号電力／干渉信号電力比よりも大きい場合に、送信電力を減少させるべく制御を行う。
【００１５】
【発明の実施の形態】
次に図面を参照して本発明の好適な実施形態について説明する。
［１］  第１実施形態
［１．１］  第１実施形態の構成
［１．１．１］  移動通信端末装置の概要構成
図１に第１実施形態の移動通信端末装置の概要構成ブロック図を示す。
移動通信端末装置は、図示しない無線基地局との間で送受信を行うためのアンテナ１と、無線基地局側から送られてくる受信信号と無線基地局を介して通信相手装置に送信する送信信号を分離する送受信分離部２と、受信信号の検波、周波数変換、アナログ／ディジタル変換などを行い受信デジタル信号として出力する受信無線部３と、受信デジタル信号に対し各コード（符号）毎に逆拡散処理を施す逆拡散部４と、逆拡散処理後の受信デジタル信号の同期検波およびＲＡＫＥ合成を行ってＲＡＫＥ合成受信信号を出力する同期検波／ＲＡＫＥ合成部５と、各コード毎のＲＡＫＥ合成受信信号の受信信号電力／干渉信号電力比（ＳＩＲ）を測定するＳＩＲ測定部６と、通信に用いられているチャネルを判定するための送信オン／オフ判定部７と、通信に用いられているチャネルに対応する受信信号電力／干渉信号電力比を合成し合成ＳＩＲとして出力するＳＩＲ合成部８と、を備えて構成されている。
【００１６】
ここで、逆拡散部４は、受信ディジタル信号に対し、各コード（符号）毎に逆拡散処理を施して、Ｍ個の逆拡散処理後の受信ディジタル信号を同期検波／ＲＡＫＥ合成部５に出力している。また、同期検波／ＲＡＫＥ合成部５は、入力されたＭ個の逆拡散処理後の受信ディジタル信号のそれぞれについて同期検波およびＲＡＫＥ合成を行って各コードに対応するＭ個のＲＡＫＥ合成受信信号をＳＩＲ測定部６および後述の送信状態識別子抽出部１９に出力する。さらにＳＩＲ測定部６は、制御チャネルあるいは通信チャネル毎に入力されたＭ個のＲＡＫＥ合成受信信号にそれぞれ基づいて対応するチャネルの受信信号電力／干渉信号電力比（ＳＩＲ）を測定し、（Ｎ＋１）個の受信信号電力／干渉信号電力比（ＳＩＲ）を測定して、ＳＩＲ合成部８に出力する。
【００１７】
さらに移動通信端末装置は、目標とする通信品質に応じて目標ＳＩＲを設定する通信品質制御部９と、合成ＳＩＲと目標ＳＩＲとを比較し、いずれが大きいかを判別する目標ＳＩＲ比較部１０と、目標ＳＩＲ比較部１０の判別結果に基づいて送信電力制御を行うための送信電力制御ビットを決定する送信電力制御ビット決定部１１と、入力された送信電力制御ビットを制御チャネルに割り当てるとともに、各通信チャネルの送信フレームを生成する信号発生部１２と、送信フレームの符号化を行う符号化部１３と、符号化された送信フレームの変調を行う変調部１４と、変調された送信フレームに拡散処理を施す拡散部１５と、拡散処理が施された送信フレームを合成し合成送信信号として出力する合成部２０と、合成送信信号を中間周波数帯（ＩＦ帯）及びラジオ周波数帯（ＲＦ帯）に周波数変換送信無線部１６と、ＲＡＫＥ合成受信信号から送信電力制御ビットを抽出して出力する送信電力制御ビット抽出部１７と、送信電力制御ビット抽出部１７により抽出された送信電力制御ビットにより送信電力を制御する送信電力制御部１８と、ＲＡＫＥ合成受信信号から送信状態識別子を抽出する送信状態識別子抽出部１９と、を備えて構成されている。
【００１８】
ここで、信号発生部１２は、各通信チャネルに対応する（Ｎ＋１）個の送信フレームを生成し、符号化部１３に出力している。また、符号化部１３は、入力された（Ｎ＋１）の送信フレームの符号化を行い、制御チャネルおよび通信チャネルに対応する符号化した（Ｎ＋１）個の送信フレームを変調部１４に出力する。さらに変調部１４は、各コード（符号）毎に入力された（Ｎ＋１）個の符号化された送信フレームにそれぞれ基づいて変調を行い、Ｍ個の変調した送信フレームを拡散部１５に出力する。拡散部１５は、各コード毎に変調されたＭ個の送信フレームに拡散処理を施して、合成部２０に出力する。
一方、送信状態識別子抽出部１９は、制御チャネルあるいは通信チャネル毎に入力されたＭ個のＲＡＫＥ合成受信信号にそれぞれ基づいて対応するチャネルの送信状態識別子を抽出し、（Ｎ＋１）の送信状態識別子を送信オン／オフ判定部７に出力する。
【００１９】
［１．１．２］  受信無線部の概要構成
図２に受信無線部の概要構成ブロック図を示す。
受信無線部３は、帯域外成分を除去すべく、所定周波数帯域内の成分のみを通過させる第１バンドパスフィルタ部３１と、第１バンドパスフィルタ部の出力を増幅する増幅器３２と、クロック信号ＣＬＫを発生する局部発振器３３と、クロック信号ＣＬＫにより受信信号の周波数変換を行い、その周波数帯域を中間周波数帯に変換するＩＦ変換部３４と、中間周波数帯に変換された受信信号の帯域外成分を除去すべく、所定周波数帯域内の成分のみを通過させる第２バンドパスフィルタ部３５と、第２バンドパスフィルタ部３４を通過した受信信号の信号レベルを適正な信号レベルに補正するＡＧＣ（自動ゲイン制御）部３６と、適正な信号レベルを有する受信信号を準同期検波し、ベースバンドに周波数変換する準同期検波部３７と、ベースバンドに周波数変換された受信信号の低域成分のみを通過させるロウパスフィルタ部３８と、ロウパスフィルタ３８を通過した受信信号の低域成分のアナログ／ディジタル変換を行ってディジタル信号として出力するＡ／Ｄ変換部３９と、を備えて構成されている。
【００２０】
［１．２］  第１実施形態の動作
次に第１実施形態の移動通信端末装置の動作を説明する。
相手通信局から送信されたスペクトル拡散信号は、アンテナ１により受信され、受信信号として送受分離部２に送出される。
送受分離部２は、受信信号を送信信号から分離して受信無線部３に入力する。
受信無線部３の第１バンドパスフィルタ部３１は、入力されたを受信信号の帯域外成分を除去すべく、所定周波数帯域内の成分のみを通過させる。
第１バンドパスフィルタ部３１を通過した受信信号は、増幅器３２で増幅された後、ＩＦ変換部３４に入力され、局部発振器３３により発生されたクロック信号ＣＬＫにより中間周波数帯に周波数変換され、第２バンドパスフィルタ部３５に出力される。
第２バンドパスフィルタ部３５は、中間周波数帯に変換された受信信号の帯域外成分を除去すべく、所定周波数帯域内の成分のみを通過させ、ＡＧＣ部３６に出力する。
ＡＧＣ部３６は、第２バンドパスフィルタ部３５を通過した受信信号の信号レベルを適正な信号レベルに補正し、準同期検波部３７に出力する。
準同期検波部３７は、入力された受信信号を準同期検波し、ベースバンドに周波数変換して、ロウパスフィルタ部３８に出力する。
ロウパスフィルタ部３８は、ベースバンドに周波数変換された受信信号の低域成分のみを通過させ、Ａ／Ｄ変換部３９に出力する。
【００２１】
Ａ／Ｄ変換部３９は、入力された受信信号の低域成分のアナログ／ディジタル変換を行って、ディジタル信号である受信ディジタル信号として、逆拡散部４に出力されることとなる。
逆拡散部４は、入力された受信デジタル信号の各コード毎（制御チャネル＋複数の通信チャネルに対応）に逆拡散がなされ、峡帯域の変調信号（＝一次変調波）として同期検波／ＲＡＫＥ合成部５に出力される。
同期検波／ＲＡＫＥ合成部５は、入力された一次変調波（各コードに対応）を復調し、ＲＡＫＥ合成して、ＲＡＫＥ合成受信信号をＳＩＲ測定部６および送信電力ビット抽出部１７に出力する。
送信電力ビット抽出部１７は、ＲＡＫＥ合成受信信号の送信電力ビットを抽出し、送信電力制御部１８に出力する。
送信電力制御部１８は、送信電力ビットに基づいて送信電力を決定し、決定した送信電力に対応する送信電力制御信号ＳＣＴＰを送信無線部１６に出力する。
この送信電力制御部の動作と並行して、送信状態識別子抽出部１９はＲＡＫＥ合成受信信号の送信状態識別子を抽出し、送信オン／オフ判定部７に出力する。
【００２２】
送信オン／オフ判定部７は、入力された送信状態識別子に基づいて、制御チャネルおよび複数の通信チャネルの送信オン／オフ状態をそれぞれ判定し、得られた送信オン／オフ状態判定結果をＳＩＲ合成部８に出力する。
ＲＡＫＥ合成受信信号は、ＳＩＲ測定部６に各コード毎に入力され、ＳＩＲ測定部６は、各チャネル（制御チャネル＋複数通信チャネル）毎の受信信号電力値（Ｓ）の測定および干渉電力値（Ｉ）の測定を行う。
ＳＩＲ合成部８は、ＳＩＲ測定部６より入力された各チャネル毎の受信信号電力値（Ｓ）および干渉電力値（Ｉ）並びに送信状態オン／オフ判定部７より入力＋された各チャネルの送信状態がオン／オフのいずれかを表す、送信オン／オフ状態に基づいて送信オン状態にあるチャネルの受信信号電力値（Ｓ）を合成して得られたＳＩＲ値である受信ＳＩＲ値を目標ＳＩＲ比較部１０に出力する。
一方、通信品質制御部９は、各チャネルが目標品質を満たすように、目標ＳＩＲを決定し、目標ＳＩＲ比較部に出力する。
目標ＳＩＲ比較部１０は、受信ＳＩＲ値および目標ＳＩＲ値を比較し、その比較結果を送信電力制御ビット決定部１１に出力する。
【００２３】
送信電力制御ビット決定部１１は、目標ＳＩＲ比較部の比較結果に基づいて、を判定し、受信ＳＩＲ値が目標ＳＩＲ値より小さい場合には、送信電力の増加を指示する制御ビットを決定し、信号発生部１２に出力する。また、受信ＳＩＲ値が目標ＳＩＲ値より大きい場合には、送信電力の減少を指示する制御ビットを決定し、信号発生部１２に出力する。
信号発生部１２は、送信電力制御ビット決定部１１から入力された送信電力制御ビットを制御チャネルに割り当てるとともに、各通信チャネルの送信フレームを生成し、各送信フレームを符号化部１３に出力する。
符号化部１３は、入力された各送信フレームに誤り訂正符号化を施し、送信信号を生成し、変調部１４に各チャネル毎に出力する。
送信信号は、変調部１４により各コード毎に変調処理が施され、拡散部１５により各コード毎に拡散処理が施されて、合成部１７により合成され、合成送信信号として送信無線部１６に出力される。
送信無線部１６に入力された合成送信信号は、中間周波数帯（ＩＦ帯）及びラジオ周波数帯（ＲＦ帯）に周波数変換され、送信電力制御部１８から出力された送信電力制御信号ＳＣＴＰに対応する送信電力で、送受分離部２およびアンテナ１を介して送信されることとなる。
【００２４】
［１．３］  第１実施形態の効果
以上の説明のように、本第１実施形態によれば、通信に用いられているチャネルの受信信号電力（Ｓ）および干渉信号電力（Ｉ）を全てＳＩＲ測定に用いているため、制御チャネルのみをＳＩＲ測定に用いる従来の測定方法と比較して、短時間で高精度の測定が可能となり、高速で高精度な送信電力制御を行うことが可能となる。
これにより、通信の高品質化、送信電力の低減並びに通信容量の増加を図ることが可能となる。
【００２５】
［１．４］  第１実施形態の変形例
以上の説明においては、通信に用いられているチャネルの受信信号電力（Ｓ）および干渉信号電力（Ｉ）を全てＳＩＲ測定に用いていたが、制御チャネルと少なくとも一の通信に用いられている通信チャネルの受信信号電力（Ｓ）および干渉信号電力（Ｉ）を用いて、ＳＩＲ測定を行うように構成することも可能である。
換言すれば、通信に用いられている制御チャネルを含む複数のチャネルの受信信号電力（Ｓ）および干渉信号電力（Ｉ）をＳＩＲ測定に用いるように構成することも可能である。
このように構成することにより、高速で高精度な送信電力制御を行うとともに、システム構成の簡略化を図ることができる。
【００２６】
［２］  第２実施形態
以上の第１実施形態においては、送信信号に含まれる送信状態識別子を抽出して、通信に用いられているチャネルを判別していたが、本第２実施形態は、送信状態識別子を送信オン／オフ判別に用いず、各チャネルの送信時の送信電力差を除いた受信信号電力が予め定めた所定のしきい値を越えているチャネルを送信オン状態にある、すなわち、通信に用いられているチャネルであると判別する実施形態である。
［２．１］  第２実施形態の構成
図３に第２実施形態の移動通信端末装置の概要構成図を示す。図３において図１の第１実施形態と同一の部分には同一の符号を付す。
図３において、図１の第１実施形態と異なる点は、送信状態識別子抽出部１９を省き、送信オン／オフ判定部７’が、ＳＩＲ測定部６の測定結果に基づいて、送信オン／オフ判定を行う点である。
【００２７】
［２．２］  第２実施形態の動作
次に本第２実施形態の移動通信端末装置の要部概要動作を図４を参照して説明する。
送信オン／オフ判定部７’は、ＳＩＲ測定部６より入力された各チャネル毎の受信信号電力値（Ｓ）および干渉電力値（Ｉ）に基づいて、各チャネル（ＣＨ）の送信時の送信電力差を除去した受信信号電力を算出する。
そして、制御チャネルの信号電力値Ｐ１（図４参照）から予め定めた値ＰＸを減算したしきい値ＰＴＨ（＝Ｐ１−ＰＸ）を算出する。
次にこのしきい値ＰＴＨと各通信チャネル（図４中、ＣＨ＃１、ＣＨ＃２、……、ＣＨ＃Ｎで示す）の送信時の送信電力差を除去した受信信号電力（図４中、Ｐ＃１、Ｐ＃２、……、Ｐ＃Ｎで示す。）を比較し、しきい値ＰＴＨを越える受信信号電力を有する通信チャネルを送信オン状態であると判別する。
より具体的には、図４の場合、通信チャネルＣＨ＃１が送信オン状態、通信チャネルＣＨ＃２、ＣＨ＃Ｎが送信オフ状態と判別される。
そして、ＳＩＲ合成部８は、送信オン状態と判別された通信チャネルおよび制御チャネルの信号電力値（Ｓ）を合成して得られたＳＩＲ値である受信ＳＩＲ値を目標ＳＩＲ比較部１０に出力することとなる。
他の動作については、第１実施形態と同様であるので、説明は省略する。
【００２８】
［２．３］  第２実施形態の効果
以上の説明のように、本第２実施形態によれば、第１実施形態と同様の効果に加えて、各通信チャネルの送信オン／オフ状態の判別を送信状態識別子を用いることなく、制御チャネルの信号電力値に基づいてチャネル間の相対レベルでしきい値判定を行うことにより送信信号に送信状態識別子を含める必要がなくなり、送信電力を抑制することが可能となる。
【００２９】
［３］  第３実施形態
以上の第２実施形態においては、制御チャネルの受信信号電力値Ｐ１（図４参照）から予め定めた値ＰＸを減算したしきい値ＰＴＨ（＝Ｐ１−ＰＸ）を算出し、これを用いて各通信チャネルの送信オン／オフを判別していたが、本第３実施形態はしきい値ＰＴＨ’（＝ＰＸ’）を予め定めておき、これを用いて各通信チャネルの送信オン／オフを判別している。
［３．１］  第３実施形態の動作
次に本第３実施形態の移動通信端末装置の要部概要動作を図５を参照して説明する。
送信オン／オフ判定部７’は、ＳＩＲ測定部６より入力された各チャネル毎の受信信号電力値（Ｓ）および干渉電力値（Ｉ）に基づいて、各チャネル（ＣＨ）の送信時の送信電力差を除去した受信信号電力を算出する。
そして、予め定めたしきい値ＰＴＨ’（＝ＰＸ’）と各通信チャネル（図５中、ＣＨ＃１、ＣＨ＃２、……、ＣＨ＃Ｎで示す）の送信時の送信電力差を除去した受信信号電力（図５中、Ｐ＃１、Ｐ＃２、……、Ｐ＃Ｎで示す。）を比較し、しきい値ＰＴＨ’を越える受信信号電力を有する通信チャネルを送信オン状態であると判別する。
より具体的には、図５の場合、通信チャネルＣＨ＃１が送信オン状態、通信チャネルＣＨ＃２、ＣＨ＃Ｎが送信オフ状態と判別される。
そして、ＳＩＲ合成部８は、送信オン状態と判別された通信チャネルおよび制御チャネルの信号電力値（Ｓ）を合成して得られたＳＩＲ値である受信ＳＩＲ値を目標ＳＩＲ比較部１０に出力することとなる。
他の動作については、第１実施形態と同様であるので、説明は省略する。
。
【００３０】
［３．２］  第３実施形態の効果
以上の説明のように、本第３実施形態によれば、第１実施形態および第２実施形態と同様の効果に加えて、より簡易な構成で、通信チャネルのオン／オフ判定を高精度で行うことができる。
【００３１】
【発明の効果】
以上の説明のように、本発明によれば、制御チャネルのみでなく、送信オン状態、すなわち、通信に用いられている通信チャネルの全部または一部をＳＩＲ測定に用いることができ、より高精度な送信電力制御を行うことができる。
【図面の簡単な説明】
【図１】第１実施形態の移動通信端末装置の概要構成ブロック図である。
【図２】受信無線部の概要構成ブロック図である。
【図３】第２実施形態の移動通信端末装置の概要構成ブロック図である。
【図４】第２実施形態の送信オン／オフ状態判別処理の説明図である。
【図５】第３実施形態の送信オン／オフ状態判別処理の説明図である。
【図６】ＣＤＭＡ方式のチャネル配置の一例の説明図である。
【符号の説明】
１…アンテナ
２…送受分離部
３…受信無線部
４…逆拡散部
５…同期検波／ＲＡＫＥ合成部
６…ＳＩＲ測定部
７…送信オン／オフ判定部
８…ＳＩＲ合成部
９…通信品質制御部
１０…目標ＳＩＲ比較部
１１…送信電力制御ビット決定部
１２…信号発生部
１３…符号化部
１４…変調部
１５…拡散部
１６…送信無線部
１７…送信電力ビット抽出部
１８…送信電力制御部
１９…送信状態識別子抽出部
３１…第１バンドパスフィルタ部
３２…増幅器
３３…局部発振器
３４…ＩＦ変換部
３５…第２バンドパスフィルタ部
３６…ＡＧＣ（自動ゲイン制御）部
３７…準同期検波部
３８…ロウパスフィルタ部
３９…Ａ／Ｄ変換部
【図１】
0003545621.tif 000002
【図２】
0003545621.tif 000003
【図３】
0003545621.tif 000004
【図４】
0003545621.tif 000005
【図５】
0003545621.tif 000006
【図６】
0003545621.tif 000007